(57)【特許請求の範囲】
【請求項１】
樹脂製であってドーム状または逆ドーム状の振動板（２０）の背面（２１）に、リング状をなすとともにリブ状の固定部（２２）を一体形成し、かつこの固定部（２２）にティンセルワイヤ（３）を挟み込んで固定する切込み（２３）を形成したことを特徴とするスピーカ用振動板。
【請求項２】
固定部（２２）の内側にティンセルワイヤ（３）を熱溶着または超音波溶着により固定する溶着用固定部（２４）を形成した請求項１記載のスピーカ用振動板。
【発明の詳細な説明】
【０００１】
【発明の属する技術分野】
この発明は電気音響変換器の一種であるスピーカの振動板に関する。
【０００２】
【従来の技術】
スピーカの振動板には電気的音声信号を機械的振動に変換するボイスコイルが設けられているが、このボイスコイルはスピーカのフレームに設けられた端子板と接続されている。
【０００３】
この接続には、通常、スピーカの振動系（振動板、ダンパー、エッジ等）の振動に耐えられる機械的屈曲強度を持つティンセルワイヤが使用されており、ティンセルワイヤとボイスコイル引出線との接続方法としては次のようなものがある。
【０００４】
図６に示すように、ドーム状の振動板１の首部に設けられたボイスコイル２のボイスコイル引出線２ａを振動板１の前面に引き出し、這わせた後、ティンセルワイヤ３の一端を振動板１の前面側に位置せしめ、ハンダ付けａまたは機械カシメをし、ティンセルワイヤ３の他端をフレーム４に設けられた端子板５に接続すべく振動板１の背面に出すタイプのものがある。
【０００５】
なお、図中６は、マグネット７やヨーク８およびプレート９等からなる磁気回路で、この磁気ギャップ中に前記ボイスコイル２が設けられている。１０，１１は振動板１を支持するダンパ，エッジ、１２は防塵用のダストキャップ、ｂは固定用の接着剤である。
【０００６】
また、他の方法としては、図７に示すように、予めティンセルワイヤ３をボイスコイル２を有するボビン２ｂの上方外周に接続した中継タイプのものがある。
【０００７】
さらに、図８に示すように、ハトメ等でティンセルワイヤ３の一端とボイスコイル引出線２ａとを振動板１の前面においてハンダ付けａで固定した後、接着剤ｂを塗布するものがある。
【０００８】
また、図９に示すように、振動板１の背面において予め接着剤ｂによりティンセルワイヤ３を固定するタイプのものがある。
【０００９】
【発明が解決しようとする課題】
しかしながら、図６に示すタイプのものでは、振動板１の前面に接続部が露骨に見えるため、外観上好ましくない、という課題がある。
【００１０】
図７に示す中継タイプのものでは、外観を損なうことはないが、ドーム状の振動板１の半頂角が大きく振動板１とダンパ１０との間が狭いものや振動板１が大振幅をする構造のスピーカでは、ティンセルワイヤ３が振動板１の背面やダンパ１０に当たって異常音が生じたりする、という課題がある。
【００１１】
図８や図９に示すタイプのものは、予めティンセルワイヤ３を接着剤ｂで振動板１に固定するため、異常音が生じたりすることはない。しかしながら、図９のものでは、ティンセルワイヤ３が振動板１の背面から引出させる部分を安定した位置に固定するのが接着剤ｂだけでは難しく、図８に示すタイプのように、結局、ハトメ等（図示せず）を併用しハンダ付けで固定した後、接着剤塗布を行うが、振動板１の前面にハトメ等をするためのマーク（図示せず）が残ったりするため、性能や外観上、不必要な大口径のダストキャップ１２で隠したりしていた。
【００１２】
この発明は上記のことに鑑み提案されたもので、その目的とするところは、外観を損なったり、異常音を生ずることもなく、かつワンタッチでティンセルワイヤを簡単、確実に固定でき、スピーカの製造も容易であるとともに、環境対策にも優れたスピーカ用振動板を提供することにある。
【００１３】
【課題を解決するための手段】
この発明は、樹脂製であってドーム状または逆ドーム状の振動板２０の背面２１に、リング状をなすとともにリブ状の固定部２２を一体形成し、かつこの固定部２２にティンセルワイヤ３を挟み込んで固定する切込み２３を形成して上記目的を達成している。
また、固定部２２の内側にティンセルワイヤ３を熱溶着または超音波溶着により固定する溶着用固定部２４を形成して上記目的を達成している。
【００１４】
【発明の実施の形態】
図１は本発明の一実施例にかかる振動板２０を備えたスピーカの一例、図２は本発明の振動板２０の背面を示す。
【００１５】
本発明はＰＰ（ポリプロピレン）等のプラスチックをドーム状に成形する場合、振動板２０の背面２１の適位置に、リング状をなし、かつリブ状の固定部２２を一体に形成し、かつこの固定部２２の適位置にティンセルワイヤ３を固定するほぼＵ字状をなす切込み２３を複数設け、これらの切込み２３にティンセルワイヤ３を押し込み挟持させ固定するようにしたことに特徴を有している。
【００１６】
ティンセルワイヤ３の一端はボイスコイル２側においてその引出線と接続される。また、ティンセルワイヤ３の他端は周知のようにフレーム４側の端子板５と接続される。
【００１７】
図３は、一本のティンセルワイヤ３に対し、例えば３個の切込み２３を形成し、ティンセルワイヤ３を絡げて固定した例を示す。
【００１８】
図４は、固定部２２の内側であって、振動板２０の背面側に熱接着や超音波溶着をも併用して固定するための溶着用固定部２４を形成した例である。
【００１９】
この溶着用固定部２４は例えば短円柱状をなし、かつ径方向中央にティンセルワイヤ３を挟持する切込み２５が形成され、この部分を熱溶着あるいは超音波溶着し、接着剤を用いることなく、より確実にティンセルワイヤ３を固定できるようにしている。この場合、接着剤を用いないため、環境に対する悪影響を低減することができる。
【００２０】
図５は振動板２０が逆ドーム形をなすものに本発明を適用した例である。逆ドーム形の振動板２０は、商品上、外観が重視されるが、本発明では、ティンセルワイヤ３やハトメのマーク等が前面に見えることがないため、このような外観重視タイプのものに好適である。
【００２１】
【発明の効果】
以上のように本発明によれば、ティンセルワイヤ３を振動板２０の背面に一体形成した固定部２２を介しハンダを使用することなく、簡単、かつ確実に固定できるため、異常音を生ずることもなく、組立も容易である。
【００２２】
また、ハンダを用いないため、製造時における環境への悪影響も低減できる。
【００２３】
さらに、溶着用固定部２４を併用すれば、接着剤の使用も必要ないため、より対環境にも優れている。
【図面の簡単な説明】
【図１】本発明の一実施例の振動板が組込まれたスピーカの半断面図。
【図２】本発明の要部説明図。
【図３】ティンセルワイヤ固定の他の例。
【図４】ティンセルワイヤ固定の更に他の例。
【図５】振動板形状が逆ドーム形をなす本発明の他の例。
【図６】従来の振動板を有するスピーカの半断面図。
【図７】同じく他の従来例。
【図８】更に他の従来例。
【図９】更に別の他の従来例。
【符号の説明】
１    振動板
２    ボイスコイル
２ａ  ボイスコイル引出線
２ｂ  ボビン
３    ティンセルワイヤ
４    フレーム
５    端子板
６    磁気回路
７    マグネット
８    ヨーク
９    プレート
１０    ダンパ
１１    エッジ
１２    ダストキャップ
２０    振動板
２１    背面
２２    固定部
２３    切込み
２４    溶着用固定部
【図１】
0003791645.tif 000002
【図２】
0003791645.tif 000003
【図３】
0003791645.tif 000004
【図４】
0003791645.tif 000005
【図５】
0003791645.tif 000006
【図６】
0003791645.tif 000007
【図７】
0003791645.tif 000008
【図８】
0003791645.tif 000009
【図９】
0003791645.tif 000010